(57)【要約】【課題】歩行空間における低位置照明を空間の背景輝度に合わせて、照明器具を適切な発光輝度に設定することができる照明制御装置、および、この照明制御装置に用いられる記憶媒体を提供するものである。【解決手段】人の視線以下の低位置に設置する照明器具を選定する際において、設置する空間の背景輝度を入力または検出することにより、発光部の許容限界輝度値および適正輝度値を算出手段により算出した後に、器具特性データベース１２を参照して、推奨される照明器具７を一つまたは複数選定してなる。【選択図】　　　　図１
2004071399.tif 000002
【特許請求の範囲】
【請求項１】
人の視線以下の低位置に設置する照明器具を選定する際において、設置する空間の背景輝度を入力または検出することにより、発光部の許容限界輝度値および適正輝度値を算出手段により算出した後に、照明器具特性データベースを参照して、推奨される照明器具を一つまたは複数選定してなることを特徴とする照明制御装置。
【請求項２】
人の視線以下の低位置に設置する照明器具が設置された空間の背景輝度を入力または検出することにより、発光部の許容限界値および適正輝度値を算出手段により算出して、この輝度値をもとに照明器具を調光し発光部の輝度値を自動的に調節してなることを特徴とする照明制御装置。
【請求項３】
人の視線以下の低位置に設置する照明器具が設置された空間の背景輝度を入力または検出することにより、発光部の許容限界値および適正輝度値を算出手段により算出して、この輝度値をもとに最適なランプのワット数を表示させてなることを特徴とする照明制御装置。
【請求項４】
人の視線以下の低位置に設置する照明器具が設置された空間の背景輝度を入力または検出することにより、発光部の許容限界値および適正輝度値を算出手段により算出して、この輝度値をもとに同照明器具内のランプ位置または反射板位置を手動または自動で可変させることで発光部の輝度値を調節してなることを特徴とする照明制御装置。
【請求項５】
請求項１ないし請求項４いずれか記載の照明制御装置にある上記算出手段が、空間の背景輝度を用いて、この空間に応じた発光部の許容限界値を
数式Ｌ×ωα＝Ｃ
α＝０．１５×Ｌｂ−０．２
Ｃ＝１０００×Ｌｂ０．４
（ここで、Ｌは発光輝度［ｃｄ／ｍ２］、Ｌｂは背景輝度［ｃｄ／ｍ２］、ωは発光部立体角［ｓｒ］、ＣおよびαはＬｂに依存する定数である。）
により算出するとともに、同空間に応じた発光部の適正輝度値を
数式Ｌ×ωα＝Ｃ
α＝０．１５×Ｌｂ−０．２
Ｃ＝４００×Ｌｂ０．４
（ここで、Ｌは発光輝度［ｃｄ／ｍ２］、Ｌｂは背景輝度［ｃｄ／ｍ２］、ωは発光部立体角［ｓｒ］、ＣおよびαはＬｂに依存する定数である。）
により算出するものであり、この算出手段を基にしたプログラムを搭載することを特徴とする記憶媒体。
【発明の詳細な説明】
【０００１】
【発明の属する技術分野】
本発明は、照明制御装置、および、この照明制御装置に用いられる記憶媒体に関し、さらに詳しくは、屋外の歩行空間の低位置に設置される照明器具を点灯制御する、または、照明器具を選定する照明制御装置、および、この照明制御装置に用いられる記憶媒体に関するものである。
【０００２】
【従来の技術】
従来、歩行空間に設置される照明器具の選定は、設置する空間の明るさに応じて照明設計プランナーが経験に基づいた感覚に頼って行なってきた。このため、照明設計プランナーにより照明器具の選定はまちまちであり、適切でないときもあるため、照明器具がまぶしすぎるといった不具合が生じる場合があった。また、周囲の店舗が消灯するなど空間の周囲環境の変化により、時刻により照明器具がまぶしく感じるといったことがあるなどの問題点があった。
【０００３】
不快グレアを感じる許容限界輝度に関する従来の研究として、高齢者の不快グレア：照明学会誌　第７７巻　第６号　Ｐ−２９９、平成５年に開示されているように金谷らが定量的に明らかにした図１０に示すごとき相関色温度と不快グレアの関係があった。しかしながら、実際に照明器具を設置する空間の背景輝度や路面の反射までは対応されていないため、そのまま低位置照明器具の発光輝度への適応には問題があった。
【０００４】
また、設置高さ３．５ｍ程度以上のポール灯と呼ばれる照明器具の発光部のグレア規制は、照明学会技術基準ＪＩＥＣ−００６の「歩行者のための屋外公共照明基準」（Ｐ−９）にあり、照明器具の鉛直角８５°方向の光度値を規制しているが、人の視線以下となる鉛直角９０°以上を考慮する必要のある、いわゆる、低位置照明については明記されていないものであった。そして、また、これは背景輝度との関係については明らかにされていないものであった。
【０００５】
【発明が解決しようとする課題】
本発明は、上述の事実に鑑みてなされたものであって、その目的とするところは、歩行空間における低位置照明を空間の背景輝度に合わせて、照明器具を適切な発光輝度に設定することができる照明制御装置、および、この照明制御装置に用いられる記憶媒体を提供しようとするものである。
【０００６】
【課題を解決するための手段】
本発明の請求項１に係る照明制御装置は、人の視線以下の低位置に設置する照明器具を選定する際において、設置する空間の背景輝度を入力または検出することにより、発光部の許容限界輝度値および適正輝度値を算出手段により算出した後に、照明器具特性データベースを参照して、推奨される照明器具を一つまたは複数選定してなることを特徴とする。
【０００７】
本発明の請求項２に係る照明制御装置は、人の視線以下の低位置に設置する照明器具が設置された空間の背景輝度を入力または検出することにより、発光部の許容限界値および適正輝度値を算出手段により算出して、この輝度値をもとに照明器具を調光し発光部の輝度値を自動的に調節してなることを特徴とする。
【０００８】
本発明の請求項３に係る照明制御装置は、人の視線以下の低位置に設置する照明器具が設置された空間の背景輝度を入力または検出することにより、発光部の許容限界値および適正輝度値を算出手段により算出して、この輝度値をもとに最適なランプのワット数を表示させてなることを特徴とする。
【０００９】
本発明の請求項４に係る照明制御装置は、人の視線以下の低位置に設置する照明器具が設置された空間の背景輝度を入力または検出することにより、発光部の許容限界値および適正輝度値を算出手段により算出して、この輝度値をもとに同照明器具内のランプ位置または反射板位置を手動または自動で可変させることで発光部の輝度値を調節してなることを特徴とする。
【００１０】
本発明の請求項５に係る記憶媒体は、請求項１ないし請求項４いずれか記載の照明制御装置にある上記算出手段が、空間の背景輝度を用いて、この空間に応じた発光部の許容限界値を
数式Ｌ×ωα＝Ｃ
α＝０．１５×Ｌｂ−０．２
Ｃ＝１０００×Ｌｂ０．４
（ここで、Ｌは発光輝度［ｃｄ／ｍ２］、Ｌｂは背景輝度［ｃｄ／ｍ２］、ωは発光部立体角［ｓｒ］、ＣおよびαはＬｂに依存する定数である。）
により算出するとともに、同空間に応じた発光部の適正輝度値を
数式Ｌ×ωα＝Ｃ
α＝０．１５×Ｌｂ−０．２
Ｃ＝４００×Ｌｂ０．４
（ここで、Ｌは発光輝度［ｃｄ／ｍ２］、Ｌｂは背景輝度［ｃｄ／ｍ２］、ωは発光部立体角［ｓｒ］、ＣおよびαはＬｂに依存する定数である。）
により算出するものであり、この算出手段を基にしたプログラムを搭載することを特徴とする。
【００１１】
【発明の実施の形態】
以下、本発明の実施の形態を図面を参照しながら詳しく説明する。
【００１２】
（実施の形態１）
図１は、本発明の一実施の形態を示している。背景輝度をセンサー２により検知する。検知された背景輝度値を自動もしくは手動で照明制御システム１に入力する。
【００１３】
照明制御システム１において、入力された背景輝度値をもとに輝度値算出プログラム１１を用いて発光部の許容限界輝度値および適正輝度値を算出する。輝度値算出プログラムに用いる算出手段は、請求項５に記載してあるとおりである。この算出された発光部の許容限界輝度値および適正輝度値と、照明制御システム１内に搭載された複数の器具特性データベース１２とを比較判別することにより、推奨商品を識別するものである。識別された商品を推奨商品出力部３に一覧表として出力するものである。
【００１４】
なお、推奨商品出力部３の形態は、図２のような一覧表としての表示のほかに、図３のような発光部の大きさと輝度値を軸とした商品マッピング上への推奨エリアの表示や、図４のような商品一覧のうち推奨商品のみを他と識別できるようにした表示などがある。これらにより、推奨商品を自動で検索することができることとなる。
【００１５】
（実施の形態２）
本発明の実施の形態２に係る照明制御装置を、図５を用いて説明する。実施の形態１と異なる点は、照明制御システム４において、算出された発光部の許容限界輝度値および適正輝度値から調光信号を出力することである。この調光信号は、調光装置５に入力されるものである。なお、照明制御システム４内には、器具特性データベース１２が搭載されていてもかまわないが、実施の形態１と異なる点は、１種の器具特性データベース１２だけで良いものである。
【００１６】
図７にて、照明器具７に調光装置５が内蔵されたときについて説明する。ただし、調光装置５は、照明器具７に内蔵されてなくても構わないものである。調光装置５によりランプ６の光束が調節され、照明器具７の発光輝度が調節されることとなるものである。
【００１７】
（実施の形態３）
本発明の実施の形態３に係る照明制御装置を、図６を用いて説明する。実施の形態２と異なる点は、照明制御システム４から動作信号を出力し、照明器具７に入力することである。動作信号を受けて、図８のように照明器具７においてランプ表示板８に適切なランプ６のワット数を表示するものである。また、ランプ表示板８は照明器具７に搭載しなくてもよく、専用のランプ表示器にランプ表示板８を設けても構わないものである。照明器具７に使用する適切なランプ６のワット数が分かり、発光輝度を調節することができることとなるものである。
【００１８】
（実施の形態４）
本発明の実施の形態４に係る照明制御装置を、図９を用いて説明する。実施の形態３と異なる点は、動作信号を受けて、同図９のように照明器具７においてランプ受け台９および反射板１０が可動することである。これにより、照明器具７の発光輝度が調節されることとなるものである。
【００１９】
【発明の効果】
本発明の請求項１に係る照明制御装置によると、背景輝度を入力することで推奨商品が自動で検索でき、背景輝度に応じた適切な照明器具を選定することができるものである。これにより、歩行者にとってまぶしすぎることのない快適な空間を創出することができる効果がある。すなわち、歩行空間における低位置照明を空間の背景輝度に合わせて、照明器具を適切な発光輝度に設定することができるものである。
【００２０】
本発明の請求項２ないし請求項４に係る照明制御装置によると、背景輝度を入力することで照明器具の発光輝度を調節することができ、背景輝度に応じた適切な発光輝度を実現することができるものである。これにより、歩行者にとってまぶしすぎることのない快適な空間を創出することができる効果がある。すなわち、歩行空間における低位置照明を空間の背景輝度に合わせて、照明器具を適切な発光輝度に設定することができるものである。
【００２１】
本発明の請求項５に係る記憶媒体によると、請求項１ないし請求項４いずれか記載の照明制御装置に用いられることで、背景輝度を入力することで推奨商品が自動で検索でき、背景輝度に応じた適切な照明器具を選定することができるものである。さらに、背景輝度を入力することで照明器具の発光輝度を調節することができ、背景輝度に応じた適切な発光輝度を実現することができるものである。よって、歩行空間における低位置照明を空間の背景輝度に合わせて、照明器具を適切な発光輝度に設定できることに繋げられるものである。
【図面の簡単な説明】
【図１】本発明の実施の形態１に係る照明制御装置のシステム図である。
【図２】図１の照明制御装置に係る一実施形態の推奨商品出力部を示した概略図である。
【図３】図１の照明制御装置に係る他の一実施形態の推奨商品出力部を示した概略図である。
【図４】図１の照明制御装置に係るさらに他の一実施形態の推奨商品出力部を示した概略図である。
【図５】本発明の実施の形態２に係る照明制御装置のシステム図である。
【図６】本発明の実施の形態３および４に係る照明制御装置のシステム図である。
【図７】本発明の実施の形態２に係る照明器具を示した断面図である。
【図８】本発明の実施の形態３に係る照明器具を示した側面図である。
【図９】本発明の実施の形態４に係る照明器具を示した断面図である。
【図１０】一従来例の技術としての照明器具についての研究である相関色温度と不快グレアの許容限界輝度との関係を示したグラフである。
【符号の説明】
１　　照明制御システム
２　　センサー
３　　推奨商品出力部
４　　照明制御システム
５　　調光装置
６　　ランプ
７　　照明器具
８　　ランプ表示板
９　　ランプ受け台
１０　反射板
１１　輝度値算出プログラム
１２　器具特性データベース
【図１】
2004071399.tif 000003
【図２】
2004071399.tif 000004
【図３】
2004071399.tif 000005
【図４】
2004071399.tif 000006
【図５】
2004071399.tif 000007
【図６】
2004071399.tif 000008
【図７】
2004071399.tif 000009
【図８】
2004071399.tif 000010
【図９】
2004071399.tif 000011
【図１０】
2004071399.tif 000012